(57)【要約】【課題】  画一的な背景映像を表示するだけではなく、演奏されているカラオケ楽曲に関連性の高い多種多様な映像を表示する。【解決手段】  複数の地点に設置され、それぞれ当該地点の風景映像を撮影するビデオカメラシステム８０と、任意のカラオケ楽曲を演奏する際に、当該カラオケ楽曲に関連した地点に設置されたビデオカメラシステム８０を少なくとも１つ選択する撮影手段選択手段４８と、選択されたビデオカメラシステム８０から送信された風景映像を受信して、演奏するカラオケ楽曲の背景映像として表示する背景映像表示手段４９とを備える。【選択図】図１
2014235304.tif 000002
【特許請求の範囲】
【請求項１】
カラオケ演奏端末でカラオケ楽曲を演奏する際に、当該カラオケ楽曲に関連した風景映像を背景映像として表示することが可能な背景映像表示システムにおいて、
複数の地点に設置され、それぞれ当該地点の風景映像を撮影する撮影手段と、
前記撮影手段と前記カラオケ演奏端末との間でデータの送受信を行う通信手段と、
任意のカラオケ楽曲を演奏する際に、当該カラオケ楽曲に関連した地点に設置された前記撮影手段を少なくとも１つ選択する撮影手段選択手段と、
前記選択された撮影手段から送信された風景映像を受信して、前記演奏するカラオケ楽曲の背景映像として表示する背景映像表示手段と、
を備えたことを特徴とする背景映像表示システム。
【請求項２】
各カラオケ楽曲の楽曲識別情報と、各カラオケ楽曲に関連のある地点に設置された前記撮影手段の撮影手段識別情報とを紐付けした楽曲別撮影手段選択テーブルを備え、
前記撮影手段選択手段は、前記楽曲別撮影手段選択テーブルに基づいて、前記演奏するカラオケ楽曲に関連した前記撮影手段を選択することを特徴とする請求項１に記載の背景映像表示システム。
【請求項３】
前記撮影手段で撮影した風景映像を録画する風景映像録画手段と、
前記選択された撮影手段で現に撮影中の風景映像が、背景映像として識別可能であるか否かを判定する背景映像判定手段と、を備え、
前記背景映像表示手段は、前記選択された撮影手段で現に撮影中の風景映像が、背景映像として識別可能でないと判定された場合に、前記録画した風景映像を背景映像として表示することを特徴とする請求項１又は２に記載の背景映像表示システム。
【請求項４】
前記選択された撮影手段で現に撮影中の風景映像が、背景映像として識別可能であるか否かを判定する背景映像判定手段を備え、
前記背景映像表示手段は、前記選択された撮影手段で現に撮影中の風景映像の中から、前記背景映像判定手段により背景映像として識別可能であると判定された風景映像を背景映像として表示することを特徴とする請求項１又は２に記載の背景映像表示システム。
【発明の詳細な説明】
【技術分野】
【０００１】
本発明は、背景映像表示システムに関するものであり、詳しくは、カラオケ楽曲の演奏に際して、表示装置に歌詞テロップとともに表示される背景映像を、当該カラオケ楽曲について予め用意されている映像に代替して、当該カラオケ楽曲に関連したリアルタイムの現地映像等を表示する事が可能な背景映像表示システムに関するものである。
【背景技術】
【０００２】
従来のカラオケシステムでは、カラオケ楽曲毎に背景映像が用意されており、カラオケ楽曲を演奏する際に、当該カラオケ楽曲に紐付けされた背景映像が表示されるようになっている。すなわち、カラオケ楽曲の楽曲データと背景映像データとは紐付けして管理されており、一般的には、カラオケ楽曲の演奏に伴い、当該カラオケ楽曲に紐付けされた背景映像が表示装置に表示されるようになっている。
【０００３】
また、画一的な背景映像を表示するだけではなく、利用者の所望に応じて背景映像を選択的に切り替え、あるいは、ライブ映像を背景映像として表示できるようにしたカラオケシステムが開示されている（特許文献１参照）。この特許文献１に記載されたカラオケシステムは、カメラで撮影した外部映像を取得する映像取得手段と、映像取得手段で取得した外部映像を伝送するネットワーク手段とを備えている。そして、表示部に背景映像とともに歌詞を表示する際に、映像取得手段で取得した外部映像を表示することができるようになっている。
【０００４】
さらに、リアルタイムの映像（現在放映中のテレビ映像）の提供を可能とした映像音声データ提供装置が開示されている（特許文献２参照）。この特許文献２に記載された技術は、情報出力装置からテレビ映像の提供を要求されると、情報提供装置の入出力制御部は、切換え装置に第１の状態を指示する。ビデオエンコーダは、チューナから入力されるビデオ信号を、デジタルデータ列化した後にエンコードして映像データ列として出力する。ビデオパケタイザは、切換え装置を経て入力されてくる映像データ列をＭＰＥＧ規格に従ってパケット化し、映像パケット列としてマルチプレクサに出力する。マルチプレクサは、映像パケット列とオーディオパケタイザから送られてくる音声パケット列とを、ＭＰＥＧ規格に従って映像音声ストリームとして、出力インタフェースを通してヘッドアンプに出力する構成になっている。
【先行技術文献】
【特許文献】
【０００５】
【特許文献１】特開２００２−２９７１６７号公報
【特許文献２】特開平９−９３４９９号公報
【発明の概要】
【発明が解決しようとする課題】
【０００６】
上述したように、カラオケ楽曲の演奏に伴い表示装置に表示する背景映像が画一的にならないようにした技術が存在する。しかしながら、このような従来の技術では、必ずしも、演奏されているカラオケ楽曲と表示される背景映像とが関連しているとは言えず、カラオケ楽曲と全く関連性のない背景映像を表示したのでは、歌唱者やカラオケに参加している他の利用者の興趣を削ぐことになる。
【０００７】
また、演奏されているカラオケ楽曲と表示される背景映像とを関連付けるために、例えば、ご当地ソングの歌詞に関連する場所をビデオカメラでリアルタイムに撮影し、当該リアルタイム映像を背景映像として表示することが考えられる。しかし、スナック等のいわゆるナイト店では、夜間にカラオケ歌唱を行うことが一般的であり、夜間のリアルタイム映像を背景映像とした場合に、背景映像として識別できない映像（例えば、照度が足りず撮影対象を識別できない映像）が表示されてしまうことも考えられる。また、通信回線の故障や天候不良により背景映像として識別できない映像（例えば、何も映っていない映像）が表示されてしまう場合もある。このような背景映像を表示したのでは、せっかく、各カラオケ楽曲に関連のある風景映像を表示しようとしたにも拘わらず、歌唱者やカラオケに参加している他の利用者の興趣を削ぐことになる。
【０００８】
本発明は、上述した事情に鑑み提案されたもので、画一的な背景映像を表示するだけではなく、演奏されているカラオケ楽曲に関連性の高い多種多様な映像を表示することが可能な背景映像表示システムを提供することを目的とする。さらに、風景映像を表示する際に、背景映像として適切な風景映像を表示可能とすることを目的とする。
【課題を解決するための手段】
【０００９】
本発明の背景映像表示システムは、上述した事情に鑑み提案されたもので、以下の特徴点を有している。すなわち、本発明の背景映像表示システムは、カラオケ演奏端末でカラオケ楽曲を演奏する際に、当該カラオケ楽曲に関連した風景映像を背景映像として表示することが可能な背景映像表示システムにおいて、撮影手段と、通信手段と、撮影手段選択手段と、背景映像表示手段とを備えたことを特徴とするものである。
【００１０】
撮影手段は、複数の地点に設置され、それぞれ当該地点の風景映像を撮影するための手段である。通信手段は、撮影手段とカラオケ演奏端末との間でデータの送受信を行うための手段である。撮影手段選択手段は、任意のカラオケ楽曲を演奏する際に、当該カラオケ楽曲に関連した地点に設置された撮影手段を少なくとも１つ選択するための手段である。背景映像表示手段は、選択された撮影手段から送信された風景映像を受信して、演奏するカラオケ楽曲の背景映像として表示するための手段である。
【００１１】
また、本発明の背景映像表示システムは、上述した手段に加えて、各カラオケ楽曲の楽曲識別情報と、各カラオケ楽曲に関連のある地点に設置された撮影手段の撮影手段識別情報とを紐付けした楽曲別撮影手段選択テーブルを備えることが可能である。この場合に、撮影手段選択手段は、楽曲別撮影手段選択テーブルに基づいて、演奏するカラオケ楽曲に関連した撮影手段を選択する。
【００１２】
また、本発明の背景映像表示システムは、上述した手段に加えて、撮影手段で撮影した風景映像を録画する風景映像録画手段と、選択された撮影手段で現に撮影中の風景映像が、背景映像として識別可能であるか否かを判定する背景映像判定手段を備えることが可能である。この場合、背景映像表示手段は、選択された撮影手段で現に撮影中の風景映像が、背景映像として識別可能でないと判定された場合に、録画した風景映像を背景映像として表示する。
【００１３】
また、背景映像判定手段を備えた構成とした場合に、背景映像表示手段は、選択された撮影手段で現に撮影中の風景映像の中から、背景映像判定手段により背景映像として識別可能であると判定された風景映像を背景映像として表示するような構成とすることが可能である。
【００１４】
上述した構成からなる背景映像表示システムは、カラオケ楽曲の題名、歌詞の内容、アーティストの出身地、四季を代表する風光明媚な場所等、各地に設置されたビデオカメラの映像を背景映像として表示することを目的としたものであり、複数の地点に撮影手段（ビデオカメラシステム）を設置して風景映像を撮影する。
【００１５】
そして、撮影手段選択手段の機能により、カラオケ楽曲に関連した地点に設置された撮影手段を選択し、通信手段の機能により、当該撮影手段で撮影した風景映像をカラオケ端末に送信する。カラオケ演奏端末では、カラオケ楽曲の演奏に伴い表示装置に表示する背景映像として、受信した風景映像を表示する。
【００１６】
撮影手段を選択するには、各カラオケ楽曲の楽曲識別情報と、各カラオケ楽曲に関連のある地点に設置された撮影手段の撮影手段識別情報とを紐付けした楽曲別撮影手段選択テーブルを作成しておき、演奏するカラオケ楽曲に関連のある地点に設置された撮影手段を選択すればよい。
【００１７】
また、撮影手段で撮影した風景映像が、背景映像とするには不適切な場合がある。例えば、夜間、通信回線の故障、天候不良等により、識別できない映像（例えば、照度が足りず、あるいは何も映っていない映像）の場合である。この場合には、風景映像録画手段により撮影した風景映像を録画しておき、識別できない映像に代えて録画した風景映像を背景映像として表示すればよい。また、１つのカラオケ楽曲に対して、複数の撮影手段を選択した場合には、他の撮影手段で撮影した風景映像の中から識別可能であると判定された風景映像を背景映像として表示してもよい。
【発明の効果】
【００１８】
本発明の背景映像表示システムによれば、複数の地点に撮影手段を設置して風景映像を撮影し、カラオケ楽曲の演奏に際して、当該カラオケ楽曲に関連する地点に設置された撮影手段で撮影した風景映像を背景映像とすることができる。
【００１９】
したがって、画一的な背景映像を表示するだけではなく、演奏されているカラオケ楽曲に関連性の高い多種多様な映像を表示することが可能となる。
【００２０】
また、撮影手段で撮影した風景映像が、夜間、通信回線の故障、天候不良等の理由により、識別できない映像（例えば、照度が足りず、あるいは何も映っていない映像）である場合には、風景映像録画手段により録画しておいた風景映像等を背景映像として表示し、あるいは、背景映像として識別可能であると判定された風景映像を背景映像として表示することができる。
【００２１】
したがって、背景映像として識別できない不適切な映像が表示されることがなくなり、歌唱者やカラオケに参加している他の利用者の興趣を高めることが可能となる。
【図面の簡単な説明】
【００２２】
【図１】本発明の実施形態に係る背景映像表示システムを適用したカラオケシステムの構成を示すブロック図。
【図２】楽曲別撮影手段選択テーブルの構成を示す説明図。
【図３】背景映像の表示手順を示すフローチャート。
【発明を実施するための形態】
【００２３】
図面を参照して、本発明の背景映像表示システムの実施形態について説明する。図１〜図３は本発明の実施形態に係る背景映像表示システムを示すもので、図１は背景映像表示システムを適用したカラオケシステムの構成を示すブロック図、図２は楽曲別撮影手段選択テーブルの構成を示す説明図、図３は背景映像の表示手順を示すフローチャートである。
【００２４】
＜背景映像表示システムの概要＞
本発明の実施形態に係る背景映像表示システム１０は、画一的な背景映像を表示するだけではなく、演奏されているカラオケ楽曲に関連性の高い多種多様な映像を表示することが可能なシステムに関する技術であり、主要な構成要素として、図１に示すように、撮影手段（ビデオカメラシステム８０）と、通信手段（データ通信回線７０）と、撮影手段選択手段４８と、背景映像表示手段４９とを備えている。また、楽曲別撮影手段選択テーブル４５ｃ、風景映像録画手段８５、背景映像判定手段８３を備えた構成とすることができる。各手段等は、カラオケ演奏端末３０及びその付帯装置、複数の地点に設置されたビデオカメラ８１及びその付帯装置、インターネット等のデータ通信回線７０及びデータ通信回線７０を介して信号の送受信を行うための機器により実現される。
【００２５】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２６】
＜カラオケ演奏端末＞
本発明の実施形態に係る背景映像表示システム１０を適用するカラオケ演奏端末３０は、図１に示すように、カラオケ本体４０、カラオケリモコン装置３１、スピーカ３２、マイクロホン３３、表示装置３４、ミキシングアンプ３５を備えている。また、本実施形態のカラオケ演奏端末３０は、ルータ２０及びデータ通信回線７０を介して、管理サーバ６０及び複数の地点に設置されたビデオカメラシステム８０にネットワーク接続されている。
【００２７】
＜管理サーバ＞
管理サーバ６０は、会員情報の管理、カラオケ演奏端末３０に対する楽曲データ等の配信、録音録画データの公開等を行うためのサーバである。データ通信回線７０は、例えば、インターネット回線、デジタル通信回線、アナログ通信回線、無線通信回線、ＬＡＮ等、環境に応じてどのような回線を用いてもよいが、ネットワークに対する第三者の侵入やデータの傍聴及び改竄が困難であるとともに、帯域を独占せずに安価な通信網であるという点で、インターネットにより構成されるＶＰＮを利用することが好ましい。また、管理サーバ６０の機能として、各カラオケ演奏端末３０と、選択されたビデオカメラシステム８０とを中継する機能を持たせてもよい。この場合には、管理サーバ６０を構成するＨＤＤ等の記憶装置に、楽曲別撮影手段選択テーブル４５ｃを記憶してもよい。楽曲別撮影手段選択テーブル４５ｃについては、後に詳述する。
【００２８】
なお、単独の管理サーバ６０により、上述した複数の機能を実現するのではなく、各機能に特化したサーバを設け、各サーバにより各機能を実現してもよい。この際、仮想化技術により、１つのサーバに複数の機能を持たせることもできる。本実施形態では、ルータ２０及びデータ通信回線７０を含む通信ネットワークが、ビデオカメラシステム８０とカラオケ演奏端末３０との間でデータの送受信を行うための通信手段として機能する。
【００２９】
＜撮影手段＞
撮影手段は、複数の地点に設置され、それぞれ当該地点の風景映像を撮影するための機器及びその制御プログラムからなる。本実施形態では、ビデオカメラ８１、フォーカシング装置、ズーミング装置及びパン・チルト装置等の撮影制御手段８２、背景映像判定手段８３、データ送受信装置８４を備えたビデオカメラシステム８０が撮影手段として機能する。データ送受信装置８４は、カラオケ演奏端末３０からの風景映像データの送信要求信号に基づいて、当該カラオケ演奏端末３０に対して風景映像データを送信するための機器及びプログラムからなる。
【００３０】
ビデオカメラシステム８０を設置する地点は、例えば、カラオケ楽曲の題名、歌詞の内容、アーティストの出身地等に関連する地点、あるいは四季を代表する風光明媚な地点等とすることができる。また、既に自治体やその他の団体等により設置されているビデオカメラシステム８０を利用することもできる。
【００３１】
＜風景映像録画手段＞
さらに、ビデオカメラシステム８０に風景映像録画手段８５を含めることができる。風景映像録画手段８５は、ビデオカメラ８１で撮影した風景映像を録画して再生するための装置であり、ビデオレコーダ等からなる。なお、ビデオカメラ８１の設置地点に背景映像判定手段８３及び風景映像録画手段８５を設置するのではなく、ビデオカメラシステム８０とネットワーク接続されたサーバ（例えば、管理サーバ６０）に、背景映像判定手段８３及び風景映像録画手段８５を設置することが好ましい。これにより、風景映像録画手段８５等のメンテナンスが容易なものとなり、また、ビデオカメラ８１及びその付帯機器や、データ通信回線７０が故障した場合であっても、録画した風景映像や他のビデオカメラシステム８０で撮影した風景映像を利用することができる。
【００３２】
風景映像の録画タイミングは、撮影環境等に応じて適宜設定することができるが、例えば、毎日の同時刻（明るい時間帯）、天候が良い時期、桜や紅葉等が美しい時期等に録画を行うことができる。さらに、管理者の選択指示入力に基づいて、鮮鋭な画像のみを録画映像として保存してもよい。
【００３３】
＜背景映像判定手段＞
背景映像判定手段８３は、選択されたビデオカメラシステム８０で現に撮影中の風景映像が、背景映像として識別可能であるか否かを判定するためのプログラムからなる。すなわち、選択されたビデオカメラシステム８０で撮影した風景映像が、夜間、通信回線の故障、天候不良等の理由により、識別できない不適切な映像（例えば、照度が足りず、あるいは何も映っていない映像）となってしまうことが考えられる。
【００３４】
この場合に、選択された風景映像を背景映像として表示しても、歌唱者やカラオケに参加している他の利用者の興趣を削いでしまう。特に、スナック等のいわゆるナイト店では、夜間にカラオケ歌唱を行うことが一般的であり、夜間に撮影する風景映像は照度が足りず、撮影対象（風景）を識別できない場合が多い。なお、夜景が有名な地点や、夜間であっても照度が十分である風景映像の場合には、背景映像として識別可能であるとの判定を下すことができる。上述したように、背景映像判定手段８３は、ビデオカメラシステム８０を管理するためのサーバ（例えば、管理サーバ６０）の構成要素としてもよい。
【００３５】
＜カラオケリモコン装置＞
カラオケリモコン装置３１は、ユーザインタフェース機能を備えており、カラオケ本体４０のローカル送受信手段４６との間で有線方式又は無線方式によりデータの送受信を行うようになっている。このカラオケリモコン装置３１は、楽曲検索手段３１ａとして機能するプログラム、楽曲索引データベース３１ｂ、種々のデータを記憶するためのデータ記憶部３１ｃ、データの入出力を行うための入出力表示部３１ｄ等を備えている。このカラオケリモコン装置３１に付帯するスイッチ類や、入出力表示部３１ｄに表示される各種のアイコン等を操作することにより、選曲操作等が行われる。
【００３６】
＜楽曲検索手段／楽曲索引データベース＞
楽曲検索手段３１ａは、利用者の指示に基づき、楽曲索引データベース３１ｂを参照して楽曲を検索するためのプログラムからなる。楽曲索引データベース３１ｂは、カラオケ演奏端末３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３７】
＜マイクロホン＞
マイクロホン３３は、歌唱音声の入力を行うための装置である。マイクロホン３３から入力された歌唱音声信号は、ミキシングアンプ３５により、音楽再生制御手段５０から送出される演奏音声信号とミキシングされると共に増幅され、スピーカ３２へ出力される。なお、マイクロホン３３からの音声入力信号は、Ａ／Ｄコンバータ５１によりデジタル変換され、歌唱採点手段（図示せず）における歌唱採点等に使用される。
【００３８】
＜表示装置＞
表示装置３４は、カラオケ楽曲に関連した背景映像や歌詞テロップ等を表示するための装置で、例えば、液晶ディスプレイ等により構成される。
【００３９】
＜カラオケ本体＞
カラオケ本体４０は、ネットワーク送受信手段４１、中央制御手段４２、ＲＯＭ４３、ＲＡＭ４４、ＨＤＤ４５、ローカル送受信手段４６、予約管理手段４７、撮影手段選択手段４８、背景映像表示手段４９、音楽再生制御手段５０、Ａ／Ｄコンバータ５１、映像再生制御手段５２を備えている。
【００４０】
＜中央制御手段＞
中央制御手段４２は、カラオケ本体４０を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４１】
＜ＲＯＭ／ＲＡＭ＞
ＲＯＭ４３は、カラオケ本体４０を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。なお、物理的な半導体メモリによりＲＡＭ４４を構成するのではなく、ハードディスク記憶装置等を用いて仮想的なＲＡＭ４４を構成してもよい。
【００４２】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００４３】
＜ＨＤＤ＞
ＨＤＤ４５は、大容量記憶装置として機能するもので、楽曲データベース４５ａ、映像データベース４５ｂ、楽曲別撮影手段選択テーブル４５ｃが格納されている。なお、ＨＤＤ４５に替えて、あるいはＨＤＤ４５と共に、データを書き替え可能なＤＶＤ等の大容量記憶装置を用いてもよい。
【００４４】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００４５】
＜楽曲別撮影手段選択テーブル＞
楽曲別撮影手段選択テーブル４５ｃは、各カラオケ楽曲の楽曲識別情報（楽曲ＩＤ）と、各カラオケ楽曲に関連のある地点に設置されたビデオカメラシステム８０の撮影手段識別情報（撮影手段ＩＤ）とを紐付けしたデータテーブルである。各カラオケ楽曲と、これに関連のある地点とは、上述したように、例えば、各カラオケ楽曲の題名、歌詞の内容、アーティストの出身地等に関連する地点、あるいは四季を代表する風光明媚な地点等である。
【００４６】
楽曲別撮影手段選択テーブル４５ｃは、例えば、図２に示すように、楽曲ＩＤ、撮影手段ＩＤを紐付けしたデータテーブルである。なお、楽曲撮影手段選択テーブルは、キーワードの入力手段を用いて、管理者が手入力してもよいし、楽曲名や歌詞の中からキーワードを自動抽出し、このキーワードに基づいて、楽曲ＩＤと撮影手段ＩＤを紐付けすることにより自動生成してもよい。また、楽曲別撮影手段選択テーブル４５ｃは、上述したように、ビデオカメラシステム８０を管理するためのサーバ（例えば、管理サーバ６０）に記憶してもよい。
【００４７】
＜送受信手段＞
ローカル送受信手段４６は、カラオケ本体４０とカラオケリモコン装置３１との間で、データの送受信を行うための電子回路及びプログラムからなる。本実施形態では、赤外線通信により、カラオケ本体４０とカラオケリモコン装置３１との間でデータの送受信が行われる。また、本実施形態では、ルータ２０との間でデータの送受信を行うためのネットワーク送受信手段４１を備えている。
【００４８】
＜予約管理手段＞
予約管理手段４７は、任意の利用者が選曲予約する際に、当該選曲されたカラオケ楽曲の楽曲ＩＤを含む予約待ち行列４４ａを作成して管理するためのプログラムからなる。すなわち、予約管理手段４７は、利用者により楽曲検索手段３１ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。
【００４９】
利用者ＩＤは、利用者ＩＤカードに記憶された利用者ＩＤをカードリーダにより読み取り、あるいは、カラオケリモコン装置３１の入出力表示部３１ｄを用いて入力された利用者ＩＤ及びパスワードに基づいて取得すればよい。さらに、利用者が携帯する携帯情報端末を用いて予約を行う機能を有する場合には、当該携帯情報端末の機器ＩＤに紐付けされた利用者ＩＤを取得してもよい。また、カラオケ演奏端末３０を使用する際に、利用者に対して一時的に利用者ＩＤを付与してもよい。
【００５０】
＜撮影手段選択手段＞
撮影手段選択手段４８は、任意のカラオケ楽曲を演奏する際に、当該カラオケ楽曲に関連した地点に設置されたビデオカメラシステム８０を少なくとも１つ選択するためのプログラムからなる。ビデオカメラシステム８０を選択する方法は、種々考えられるが、例えば、各カラオケ楽曲の楽曲識別情報（楽曲ＩＤ）と、各カラオケ楽曲に関連のある地点に設置されたビデオカメラシステム８０の撮影手段識別情報（撮影手段ＩＤ）とを紐付けした楽曲別撮影手段選択テーブル４５ｃを用意しておき、撮影手段選択手段４８の機能により、楽曲別撮影手段選択テーブル４５ｃに基づいて、演奏するカラオケ楽曲に関連したビデオカメラシステム８０を選択することができる。
【００５１】
また、楽曲別撮影手段選択テーブル４５ｃを作成しない場合には、演奏するカラオケ楽曲の題名、歌詞の内容、アーティストの出身地等に関連する地点、あるいは四季を代表する風光明媚な地点等の位置データと、ビデオカメラシステム８０の設置地点情報とに基づいて、当該カラオケ楽曲に関連のある地点に設置されたビデオカメラシステム８０を選択してもよい。なお、撮影手段選択手段４８は、ビデオカメラシステム８０を管理するためのサーバ（例えば、管理サーバ６０）の構成要素としてもよい。
【００５２】
＜背景映像表示手段＞、
背景映像表示手段４９は、選択されたビデオカメラシステム８０で撮影した風景映像を受信して、演奏するカラオケ楽曲の背景映像として表示するためのプログラムからなる。このように、歌詞に関連する場所（ご当地、繁華街）、歌詞に関連する季節において風光明媚な場所（桜の名所、雪山、海岸）、アーティストの出身地等の風景映像をリアルタイムで撮影し、背景映像として表示することにより、演奏されているカラオケ楽曲に関連性の高いリアルタイム映像が表示されるので、歌唱者やカラオケに参加している他の利用者の興趣を高めることができる。
【００５３】
また、背景映像判定手段８３を備えた構成とした場合には、選択されたビデオカメラシステム８０で撮影した風景映像が、背景映像として識別可能でないと判定されると、録画した風景映像又は選択された他のビデオカメラシステム８０で撮影した風景映像を背景映像として表示する。なお、録画された風景映像が複数存在する場合、あるいは選択したビデオカメラシステム８０が複数存在する場合には、カラオケ楽曲の演奏時の環境（例えば、演奏時間帯、客層、利用者の選択指示）に応じて、適宜、風景映像を選択することができる。
【００５４】
これにより、選択されたビデオカメラシステム８０で撮影した風景映像が、夜間、通信回線の故障、天候不良等の理由により、識別できない不適切な映像（例えば、照度が足りず、あるいは何も映っていない映像）が表示されることがなくなり、歌唱者やカラオケに参加している他の利用者の興趣を高めることができる。
【００５５】
＜音楽再生制御手段＞
音楽再生制御手段は、楽曲ＩＤに基づいて演奏データから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段５０から送出される演奏音声信号とをミキシングすると共に、アンプ機能により増幅してスピーカ３２より出力するための装置である。
【００５６】
＜映像再生制御手段＞
映像再生制御手段５２は、カラオケ楽曲の演奏中に、背景映像表示手段４９の機能により表示制御される背景映像データと、演奏データに含まれる歌詞描出データに基づいて作成される歌詞文字とを、当該カラオケ楽曲の演奏データに同期させて表示装置３４に出力するためのプログラムからなる。
【００５７】
なお、背景映像表示手段４９により背景映像データの表示制御を行わない場合、すなわち、各カラオケ楽曲にデフォルト設定された背景映像データを使用する場合に、映像再生制御手段５２は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３４に出力する。
【００５８】
＜歌唱動画の撮影＞
上述した実施形態では説明しなかったが、歌唱動画の撮影機能を有するカラオケ演奏端末３０の場合には、カラオケルームに設置したビデオカメラ（図示せず）により撮影した歌唱者の姿態映像、及びマイクロホン３３から入力された歌唱者の歌唱音声からなる歌唱動画データにおいて、ビデオカメラシステム８０で撮影した風景映像を背景映像としてもよい。
【００５９】
＜背景映像の表示＞
次に、図３を参照して、背景映像の表示手順について説明する。各地で撮影した風景映像を背景映像とするためには、複数の地点にビデオカメラシステム８０を設置して風景映像を撮影し、あるいは撮影した風景映像を録画しておくことを前提とする。
【００６０】
背景映像の表示処理では、図３に示すように、背景映像として、ビデオカメラシステム（撮影手段）８０で撮影した風景映像を表示する設定がなされた場合に（Ｓ１）、演奏するカラオケ楽曲に関連した地点に設置されたビデオカメラシステム８０を少なくとも１つ選択する（Ｓ２）。この際、各カラオケ楽曲の楽曲識別情報（楽曲ＩＤ）と、各カラオケ楽曲に関連のある地点に設置されたビデオカメラシステム８０の撮影手段識別情報（撮影手段ＩＤ）とを紐付けした楽曲別撮影手段選択テーブル４５ｃに基づいて、演奏するカラオケ楽曲に関連したビデオカメラシステム８０を選択することができる。
【００６１】
ビデオカメラシステム８０が選択されると、選択したビデオカメラシステム８０で撮影した風景映像を受信し（Ｓ３）、演奏するカラオケ楽曲の背景映像として表示する（Ｓ４）。
【００６２】
さらに、選択したビデオカメラシステム８０で撮影した風景映像を受信した後に（Ｓ３の後処理として）、以下の処理を行うことが好ましい。すなわち、選択したビデオカメラシステム８０で撮影した風景映像を受信し（Ｓ３）、選択したビデオカメラシステム８０で撮影した風景映像が、背景映像として識別可能であるか否かを判定する（Ｓ３−１）。ここで、選択したビデオカメラシステム８０で撮影した風景映像が、背景映像として識別可能であれば、当該風景映像を背景映像として表示する（Ｓ４）。
【００６３】
一方、選択したビデオカメラシステム８０で撮影した風景映像が、背景映像として識別不能な場合には、録画した風景映像又は選択した他のビデオカメラシステム８０で撮影した風景映像であって、識別可能な風景映像を背景映像として選択し（Ｓ３−２）、当該風景映像を背景映像として表示する（Ｓ４）。
【００６４】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６５】
１０  背景映像表示システム
２０  ルータ
３０  カラオケ演奏端末
３１  カラオケリモコン装置
３１ａ  楽曲検索手段
３１ｂ  楽曲索引データベース
３１ｃ  データ記憶部
３１ｄ  入出力表示部
３２  スピーカ
３３  マイクロホン
３４  表示装置
３５  ミキシングアンプ
４０  カラオケ本体
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４５ｃ  楽曲別撮影手段選択テーブル
４６  ローカル送受信手段
４７  予約管理手段
４８  撮影手段選択手段
４９  背景映像表示手段
５０  音楽再生制御手段
５１  Ａ／Ｄコンバータ
５２  映像再生制御手段
６０  管理サーバ
７０  通信手段（データ通信回線）
８０  撮影手段（ビデオカメラシステム）
８１  ビデオカメラ
８２  撮影制御手段
８３  背景映像判定手段
８４  データ送受信装置
８５  風景映像録画手段
【図１】
2014235304.tif 000003
【図２】
2014235304.tif 000004
【図３】
2014235304.tif 000005